(57)【要約】  放送データは、第１のタイムスライスで送信される。イベントデータは、第２のタイムスライスで送信され、予め決定された数ｎ−１の連続する第２のタイムスライスが冗長である。従って、斯様な放送を受信するレシーバは、ｎスライスのイベントデータのうち１つだけを受信する必要がある。従って、レシーバがスタンバイモードである場合に、イベントデータを受信するために第２のタイムスライスのｎ中の１つを受信するためにだけ起動される必要がある。従って、レシーバは、より長い期間において非起動状態にされて、それ故に電力消費をセーブする。
2010502047.tif 000002
【特許請求の範囲】
【請求項１】
データ及びイベントデータを報知する方法であって、
第１のタイムスライスで前記データを報知するステップと、
第２のタイムスライスで前記イベントデータを報知するステップとを有し、
予め決められた数ｎ−１の連続する第２のタイムスライスが冗長である、方法。
【請求項２】
前記イベントデータは、ｋ（ｋは、ｋ≦ｎの整数）回の前記第２のタイムスライスで繰り返し報知される、請求項１に記載の方法。
【請求項３】
ｋの値は、前記イベントデータの重要度に依存する、請求項２に記載の方法。
【請求項４】
第１のタイムスライスで送信される第１のデータを受信し、第２のタイムスライスで送信される第２のデータを受信する方法であって、
前記第１のタイムスライスのそれぞれの範囲内で前記第１のデータを受信するステップと、
ｎ個の第２のタイムスライスのうちの一のタイムスライスの範囲内で前記第２のデータを受信するステップとを有し、
ｎが１よりも大きい整数である、方法。
【請求項５】
前記第２のタイムスライスの期間は、前記第１のタイムスライスの期間よりも大きい、請求項４に記載の方法。
【請求項６】
全ての前記第２のデータが、ｎ個の第２のタイムスライスのうちの一のタイムスライスで送信されるとともに、
前記第２のデータを受信するステップは、前記一のタイムスライスを受信する、請求項４又は請求項５に記載の方法。
【請求項７】
前記第１のタイムスライスは、ＰＳＩ／ＳＩテーブルの送信と同期される、請求項６に記載の方法。
【請求項８】
それぞれの冗長タイムスライスは、重要度でランク付けされたイベントデータを有する、請求項４〜７のうちいずれか一項に記載の方法。
【請求項９】
トリガの検出の際ある特定期間の間において複数の連続するタイムスライスに渡って送信された、複数の連続するタイムスライスの前記第２のデータのそれぞれを受信するステップを更に有する、請求項４〜８のうちいずれか一項に記載の方法。
【請求項１０】
前記特定期間は、前記第１のタイムスライスの期間よりも大きい、請求項９に記載の方法。
【請求項１１】
前記トリガは、デバイスの電源オンの検出を有する、請求項９又は請求項１０に記載の方法。
【請求項１２】
前記第１のデータは、デジタル放送データである、請求項４〜１１のうちいずれか一項に記載の方法。
【請求項１３】
前記第２のデータは、低帯域幅のデジタルメッセージデータを有する、請求項４〜１２のうちいずれか一項に記載の方法。
【請求項１４】
データ及びイベントデータを報知する装置であって、
第１のタイムスライスで前記データを報知するトランスミッタと、
第２のタイムスライスで前記イベントデータを報知するトランスミッタとを有し、
予め決められた数ｎ−１の連続する第２のタイムスライスが冗長である、装置。
【請求項１５】
第１のタイムスライスで送信される第１のデータと、第２のタイムスライスで送信される第２のデータとを受信するレシーバであって、
前記第１のタイムスライスのそれぞれの範囲内で前記第１のデータを受信する手段と、
ｎ個の第２のタイムスライスのうちの一のタイムスライスの範囲内で前記第２のデータを受信する手段とを有し、
ｎが１よりも大きい整数である、レシーバ。
【請求項１６】
前記第１のデータは、デジタル放送データである、請求項１５に記載のレシーバ。
【請求項１７】
前記第２のデータは、低帯域幅のデジタルメッセージデータである、請求項１５又は請求項１６に記載のレシーバ。
【請求項１８】
請求項１５〜１７のうちいずれか一項に記載のレシーバを有する、ポータブル電子デバイス。
【発明の詳細な説明】
【技術分野】
【０００１】
本発明は、イベントデータを報知及び受信するための方法及び装置に関する。特に、排他的ではないが、モバイルテレビジョン又は同種のもののようなポータブルハンドヘルド電子デバイスにおける電力消費を削減するためのイベントデータを報知及び受信するための方法及び装置に関する。
【背景技術】
【０００２】
携帯電話機上のテレビジョンや専用デバイス上のモバイルテレビジョンは、近い将来に広く知られた技術になることを期待されている。技術デモンストレータは、様々な展示会で既に紹介されており、最初の商業化可能製品がこの年に発売されている。電気通信業界や放送会社は、試み（try-outs）を計画しているか、又は既に実施している。
【０００３】
モバイルテレビジョンに用いられる放送のスタンダードは、ＤＶＢ−Ｈ（Digital Video Broadcast Handheld）として知られている。物理レイヤは、ＤＶＢ−T（Digital Video Broadcast Terrestrial）のものとほぼ同一である。しかしながら、リンクレイヤは、受信端末の平均電力消費を削減するとともに円滑でシームレスな周波数での受け渡しを可能にするために、（とりわけ）強制的なタイムスライス（mandatory time slicing）を導入する。タイムスライスは、データが従来のストリーミングメカニズムを用いて送信された場合に要求されたビットレートと比較して、著しく高い瞬間的なビットレートを用いるバーストにおける送信データからなる。バーストの間、携帯端末のレシーバは、オフに切り替えられ、ストリームがバッファから再生され得る。この態様において、複数のサービスが周波数を共有し、一の特定のサービス、例えば、図１ａに示されるようなサービスＳ１、Ｓ２又はＳ３のために利用されるモバイルデバイスは、電力の相当量をセーブすることができる。
【０００４】
標準的なＤＶＢ−Ｈトランスミッションは、それぞれが自身のプログラム識別子（図１ａに示されたＰＩＤ１，ＰＩＤ２，ＰＩＤ３）をそなえた多くのＭＰＥＧ２プログラムを伴うＭＰＥＧ−２トランスポートストリームを有している。ＤＶＢ−Ｈが完全なＩＰベースである場合に、斯様なＭＰＥＧ２プログラムの唯一のコンテンツは、ＩＰパケットがカプセル化されるＭＰＥセクションである。各ＤＶＢ−Ｈサービス（オーディオ／ビデオ又はイベントのいずれか）は、自身のＰＩＤを伴う自身のプログラムにおいてカプセル化される。個々のＭＰＥG２プログラムは、タイムスライスの態様でＭＰＥＧ２トランスポートストリームにおいて多重化される。適用規格（applicable standard）は、このタイムスライスの集まりに多くの自由を与えるが、主として、固定サイクル期間t1でラウンドロビン（round robin）が行われる。
【０００５】
３Ｇ（ＵＭＴＳ）に基づくモバイルデバイス上でのＩＰ接続性に関する最新の技術が利用可能である。これは、ＤＶＢ−Ｈ放送に関する、例えば、生番組の間の投票に関するか又は認証若しくは支払い目的に関するインタラクティブバックチャネル（interactive back channel）として用いられ得る。また、斯様な非放送チャネルも、ビデオオンデマンドストリーミング（video on-demand streaming）に用いられ得る。これは、ＵＭＴＳセルにおける制限帯域幅や、ユーザに対するコスト上昇を含む欠点を持つ。しかしながら、３Ｇを介してのストリーミングビデオは、より少数のポピュラーコンテンツに対して、又は、ＤＶＢ−Ｈの受信が失敗した場合のバックアップとして、良好な解決策である。
【０００６】
イベントメカニズムは、特定のサービスに関連するか又はより一般的な性質の或る状態又は状態の変化に関する情報を、ユーザ又はモバイルデバイスに通知するために用いられ得る。サービス関連イベントの例は、或るＴＶ番組の開始、放送中の特定アイテムの開始（例えば、特定のサッカーの試合の概要）、又は、生放送中の特定イベント（例えば、"スイマーがフィニッシュラインに近付いている"場合のような、スポーツの試合における重要な瞬間）を含む。より一般的なイベントは、ニュースアイテム又は証券を含む。また、イベントは、或る動作を実行するため、例えば、ＥＳＧ（Electronic Service Guide）が更新された場合に、デバイスがこれに関するイベントを受信して、更新されたバージョンを順次取得するために、モバイルデバイス自身に通知するために用いられ得る。この態様では、デバイスが、ＥＳＧチャネルを連続的に受信する必要なく展開されるようなアップデートを取得する。
【０００７】
イベントの配信は、図１ｂに示されるようなＴＶ放送のサービスチャネルに組み込まれるか、又は、図１ｃ及びｄのそれぞれに示されるような個々のイベントサービスであるかのいずれかである。イベントＥ１及びＥ３は、それぞれ、図１ｂに示されるように、オーディオ／ビデオサービスＳ１及びＳ３に組み込まれ得る。代わりに、イベントは、図１ｃに示されるような別個の放送であってもよい。この例において、イベントＥ１，Ｅ２は、自身のプログラム識別子ＰＩＤ４を別個に持つ放送である。図１ｄは、例えば、オーディオ／ビデオ放送データがサイクルタイムt1を持ち、イベントサイクルがより長いt2であるような、種々異なるサイクルタイムを個別に持つイベント放送を例示している。
【０００８】
いずれにしても、いくつかのイベントは、ユーザが利用するチャンネルから独立して受信されるべきであるので、別個のイベントサービスであることが好ましい。
【０００９】
多くのシステムは、イベントデータ又はサービスデータの受信を可能にするために実行されていた。例えば、欧州特許第１５４９０６９号明細書は、サービスデータが送信チャネル上でのバーストにおいて送信され、他のサービスからのバックグラウンド情報が、取得されて、（オフタイムインターバルにおける）バースト間に格納される、ＤＶＢ−Ｈレシーバを開示している。バックグラウンド情報の送信及び更新は、現状のバッテリ状態に依存する。しかしながら、斯様なバックグラウンド情報サービスのメンテナンスは、追加の電力を要求する。
【００１０】
いくつかのイベントは、モバイルデバイスの状態から独立して、ユーザが理想的にはこれらを常に受信することを望んでいる斯様な性質のものである。斯様なイベントは、スポーツの試合における重要な瞬間の通知、又は、ＴＶ放送の開始の通知を含んでいる。デバイスがスタンバイモード中であっても、ユーザは、このように状態を通知されることを望み、又は、ユーザがデバイスから離れている場合には、デバイス自身が、これらのイベントに従って動作して、（これがユーザプロファイルに従う場合に）記録を開始する。他の例は、証券について受信したときの株式市場における著しい変化の通知である。
【００１１】
イベントが、ＤＶＢ−Ｈファイルの配信（ＦＬＵＴＥ）に関する一般的なメカニズム、及び、一般的なタイムスライスパラメータを伴う放送である場合に、一般的なデバイスの一部を受信するＤＶＢ−Ｈは、新たなイベントをできる限り受信するためにタイムスライスサイクル毎（１〜１０秒で変化する）に目覚めなければならない。ユーザがデバイスの状態から独立して受信することを望むイベントに関して、これは、デバイスがスタンバイ状態である場合であっても行わなければならない。これは、デバイスのバッテリを極めて速く排出するだろう。
【発明の概要】
【発明が解決しようとする課題】
【００１２】
従って、電力消費を削減する最新のイベントデータを受信するシステムを提供することが望まれるだろう。
【課題を解決するための手段】
【００１３】
これは、データ及びイベントデータを報知するための方法であって、第１のタイムスライスでデータを報知するステップと、第２のタイムスライスでイベントデータを報知するステップとを有し、予め決められた数ｎ−１の連続する第２のタイムスライスが冗長である、方法による本発明の第１の態様に従って達成される。
【００１４】
これは、また、第１のタイムスライスで送信される第１のデータを受信し、第２のタイムスライスで送信される第２のデータを受信するための方法であって、第１のタイムスライスのそれぞれの範囲内で第１のデータを受信するステップと、ｎ個の第２のタイムスライスのうちの一のタイムスライスの範囲内で第２のデータを受信するステップとを有し、ｎが１よりも大きい整数である、方法による本発明の第２の態様に従って達成される。
【００１５】
これは、また、データ及びイベントデータを報知するための装置であって、第１のタイムスライスでデータを報知するトランスミッタと、第２のタイムスライスでイベントデータを報知するトランスミッタとを有し、予め決められた数ｎ−１の連続する第２のタイムスライスが冗長である、装置による本発明の他の態様に従って達成される。
【００１６】
これは、また、第１のタイムスライスで送信される第１のデータと、第２のタイムスライスで送信される第２のデータとを受信するためのレシーバであって、第１のタイムスライスのそれぞれの範囲内で第１のデータを受信する手段と、ｎ個の第２のタイムスライスのうちの一のタイムスライスの範囲内で第２のデータを受信する手段とを有し、ｎが１よりも大きい整数である、レシーバによる本発明の他の態様に従って達成される。
【００１７】
それ故、イベントデータは、いわゆる"スーパースライス（superslices）"の放送である。これらは、通常のタイムスライスサイクルで放送される短いタイムスライスであり、ｎスライス毎に一のスライスだけがイベントを更新するためにモバイルデバイスにより受信される必要があるように、連続するスライスだけが冗長性を含む。
【００１８】
通常、一般的なタイムスライスサイクル（第１のタイムインターバル）が３秒であり、レシーバが２０スライス（即ち、冗長性に起因してｎ＝２０）毎に１スライスを受信する場合に、レシーバは、スタンバイモードの間にイベントデータを受信するために、２０倍少ない頻度でオンになる。それ故、レシーバは、より長い期間の間、オフに切り替えられた状態を維持する。イベントの低帯域幅の性質を仮定すると、特に、大半の時間においてイベントがまれに発生し、レシーバが、実際のデータを受信することなく、イベントの発生をちょっと確認するためにオンになる場合は、イベントの実際の送信は、電力消費についての大きな要因にはならない。この数の例においては、レシーバの電力が、イベントに関する最新の情報を維持するためには１／２０に削減される。
【００１９】
上述したイベントの優先度は、ほとんどの場合においてリアルタイムではない、即ち、特に受信デバイスがスタンバイモードである場合に、３０秒又は１分の遅れで受信することは問題とはならない。イベントが主に非常に頻繁ではなく必然的に低帯域幅であるという事実との組み合わせは、電力をセーブするために変更されるべきイベントデータを報知するためのタイムスライス体系を可能にする。
【００２０】
最上位機種の低電力ＤＶＢ−Ｈレシーバは、平均で約４５ｍＷを消費する。本発明の方法によれば、レシーバは、約２ｍＷだけを消費しながら、イベントに関する最新の情報を維持することができる。これは、スタンバイにおける低電力ＷｉＦｉモジュールに匹敵する。スタンバイにおけるＧＳＭモジュールは、およそ１２ｍＷを消費する。
【００２１】
イベントデータは、ｋ（ｋはｋ≦ｎの整数である）回の第２のタイムスライスで繰り返し報知されてもよい。
【００２２】
イベントの数が或る閾値よりも上昇する場合には、各イベントを繰り返すオーバーヘッドは、帯域幅の面で非常に大きくなるだろう。好ましい実施形態において、イベントは、重要度により分類されてもよく、重要なイベントだけが、ｎ回の間、スライス毎に繰り返される。低い重要度のイベントは、ｋ回（従って、ｎ／ｋスライス毎）繰り返され、最小の重要度のイベントは、（ｎスライスの後に）１回だけ繰り返される。全ての非重要イベントは、同じスライスにまとめられてもよく、サイクルは、全てのペンディングイベントを伴う一のスライスをｎスライス毎に持つように作成され、間のスライスがより重要なイベントだけを持つ。このサイクルの集まりは、スペシャルＥＳＧフィールドによるか、又は、イベントサービス自身において、レシーバに通信され得る。
【００２３】
好ましくは、一の期間の間に複数の連続するスライスに渡って送信された、複数の連続するスライスの第２のデータのそれぞれは、トリガの検出の際に受信される。
【００２４】
それ故、デバイスが正にオンに切り替えられ、第１のイベントスライスが重要なイベントだけを伴うものである場合であっても、レシーバが全てのイベントを依然取得することを確実にするために、各スライスが、特別なスライスにはないいくつかのペンディングイベントがある場合にレシーバに伝える情報を含んでもよい。また、各スライスは、全てのイベントを伴うスライスがどのくらい多くのスライスで送信されるかについて通信する。この態様では、レシーバは、オンに切り替えられて、イベントサービスを迅速に発見することができ、重要なイベントを受信することができ、そのときから全てのペンディングイベントを含むスライスと同期できる。
【００２５】
本発明の理解をより完全にするために、リファレンスが、添付図面とともに以下の説明において述べられる。
【図面の簡単な説明】
【００２６】
【図１】図１ａは、イベントを伴わない一般的なＤＶＢ−Ｈ放送のグラフィック表示であり、図１ｂは、組み込まれたイベントを伴う一般的なＤＶＢ−Ｈ放送のグラフィック表示であり、図１ｃは、個別のイベントサービスを伴う一般的なＤＶＢ−Ｈ放送のグラフィック表示であり、図１ｄは、種々異なるサイクルタイムを持つ個別のイベントサービスを伴う一般的なＤＶＢ−Ｈ放送の例のグラフィック表示であり、図１ｅは、本発明の一実施形態によるＤＶＢ−Ｈ放送のグラフィック表示である。
【図２】本発明の実施形態によるＤＶＢ−Ｈレシーバデバイスの単純な概略図である。
【発明を実施するための形態】
【００２７】
図１ｅに示されるように、本発明の一実施形態のＤＶＢ−Ｈレシーバは、タイムインターバルts1, ts2, ts3に渡るバーストにおいてオーディオ／ビデオデータ放送を受信する。バースト間においては、レシーバは、オフに切り替えられて、それ故、電力消費をセーブしている。
【００２８】
イベントは、埋め込まれた、又は、図１ｅに示されるような別個のタイムスライスe1 … enのいずれかのタイムスライスで送信される。連続するイベントスライスe1, e2, …， en-1, enは、スライスe2 … enが冗長であるような冗長性を含んでいる。本発明の実施形態によるＤＶＢ−Ｈレシーバは、ｎ番のうちの１番目のスライスを受信し、結果的に、レシーバは、イベントスライスの受信の間、即ち、タイムピリオドts2+ts3…tsnの間、オフに切り替えられた状態を維持する。
【００２９】
図１ｅに例示されるように、本発明の好ましい実施形態のタイムスライスメカニズムのスーパースライスでは、ｎサイクル毎に１回含まれる一のイベントスライスe1が、全てのイベントを含んでおり、残りのサイクルe2…enは、重要なイベントだけを含んでいる。冗長の目的のために、残りのサイクルe2…enは、最も重要なイベントの複製を含んでいる。しかしながら、いつ全てのイベントを伴うスーパースライスが放送されるかだけ示すイベントを伴わない冗長スライスが作成されてもよい。これらの空のスライスの頻度は、ペンディングイベントの数及び重要性に依存して可変である。
【００３０】
本発明の実施形態によるＤＶＢ−Ｈレシーバデバイスが図２に示されている。レシーバデバイス２００は、バッテリで動作されるポータブルハンドヘルドデバイスである。レシーバデバイス２００は、復調器２０３に接続された入力端末２０１を有している。復調器２０３は、タイムスライスコントローラ２０５を有している。復調器２０３は、バッファ２０７、イベントメモリ２１５及び電力コントローラ２０９の入力に接続されている。バッファ２０７及びイベントメモリ２１５の出力は、ディスプレイコントローラ２１１に接続されている。ディスプレイコントローラ２１１は、ＤＶＢ−Ｈレシーバデバイス２００のディスプレイ２１３に接続されている。
【００３１】
ＤＶＢ−Ｈレシーバデバイス２００の動作は、図１ｅ及び２を参照してより詳細に示されるだろう。ＤＶＢ−Ｈレシーバデバイス２００は、２つのモードにおいて、レシーバデバイス２００の復調器２０３が、起動されて、入力端末２０１を介して図１ｅに示されるようなタイムスライスで入力放送データ及びイベントデータを受信する一の動作モードで動作する。復調器２０３は、コンテンツを、受信したバーストで復調する。バースト間において、電力コントローラ２０９は、レシーバデバイス２００の電力消費を削減するために、復調器をパワーオフに切り替える。高ビットレートの復調放送データは、ディスプレイコントローラ２１１を介してディスプレイ２１３上への表示を待ち受けるバッファ２０７にバッファされる。復調イベントデータは、イベントメモリ２１５に格納される。イベントデータのタイプに依存して、イベントデータは、存在する格納されたイベントデータを更新したり、存在する格納されたイベントデータと交換したりしてもよく、新たなイベントデータとして格納されるか、又は、イベントメモリ２１５に一時的に格納される。その後、イベントデータは、ユーザにより要求されると、ユーザにより指定された時間で、又は、イベントの発生の際に、検索されて、ディスプレイ２１３上に示される。
【００３２】
レシーバデバイス２００の動作の他のモードは、レシーバデバイスが完全に起動されていないスタンバイモードである。レシーバデバイス２００の復調器２０３は、入力端末２０１を介して図１ｅに例示されるようなスライスでイベントデータだけを受信するために起動される。それ故、本発明の実施形態によれば、レシーバデバイス２００は、スライスe1でイベントデータを受信する。残りのe2〜enのスライスは冗長であるので、復調器２０３は、イベントデータの第１のスライスe1が受信された後にオフに切り替えられて、冗長スライスe2〜enの送信の間においてはオフに切り替えられた状態を維持する。それ故、復調器２０３は、より長い期間ts1+ts2…+tsnの間、オフに切り切り替えられた状態を維持し、デバイスの電力消費をセーブする。
【００３３】
放送データ及びイベントデータの各スライスは、タイムスライスサイクルのサイズを示す情報を含んでいる。タイムスライスコントローラ２０５及び電力コントローラ２０９は、次のスライスの受信直前に復調器２０３を利用することができる。それ故、タイムスライスメカニズムの正確な動作は、レシーバデバイス２００が各スライス又はスライスを受信することを前提とする。従って、レシーバデバイス２００が前のスライスを受信しない場合に、正確にスライスが出力される時を決定することはできない。
【００３４】
レシーバデバイス２００がスタンバイモードである場合には、結果として、イベントデータのｎ中の１スライスを受信する。レシーバデバイス２００は、スライスen+1を受信するが、前のスライスenを受信しない。それ故、レシーバデバイス２００は、次のイベントデータスライスを受信する準備に復調器をオンし得るために、最後に受信したスライスe1で供された情報から次のスライスen+1の到着を予測することはできない。スライス間のタイムインターバルは、極めて一定に維持され、それ故、イベントスライスen+1の放送の時間は、後のどこかで十分正確に決定され得る。一定のサイクルタイムは、現在のタイムインターバルの長さを、次のタイムインターバルの関連する時間に追加することにより、容易に決定され得る。即ち、レシーバデバイス２００が（冗長性を）スキップしたいタイムインターバルの数によって乗算されたものは、スライスがいつ放送されるかの極めて正確な指示を与える。サイクルタイムにおける起こり得る変動は、多くのスライスがスキップされるときに平均化されて、レシーバデバイス２００は、この見積もりの誤りを補償するために、少し早くオンに切り替えることができる。スライスがこれらのタイミングの発行に起因して失敗された場合には、レシーバデバイスは、一般的なサイクルタイム（例えば、３秒）と同じ長さだけかかる、次のスライスが受信されるまで、今の状態を保つことができる。これは少し電力を費やすが、情報は失われない。
【００３５】
実際のイベントスライスのコンテンツは、イベントの頻度に依存する。メカニズムは、非常に少ないイベントが発生する場合や、多いイベントに拡張し得る場合に有効である。低いイベント頻度に場合においては、全てのイベントは、ｎ送信スライス毎に一のスライスを受信するレシーバデバイスが全てのイベントを依然受信するように、ｎスライスで繰り返されるべきである。この態様では、実施形態のデバイスは、ファクタｎの冗長性を持つが、単一のイベントの低い頻度及び低帯域幅とすると、これは問題にならない。
【００３６】
イベントの数が或る閾値よりも上昇する場合には、各イベントを繰り返すオーバーヘッドは、帯域幅の面で非常に大きくなり得る。この場合において、イベントは、重要度により分類され、重要なイベントだけが、ｎ回の間の各スライス（スライス）で繰り返されるべきである。低い重要度のイベントは、ｋ回（それ故、各ｎ／ｋスライス）で繰り返され、最小の重要度のイベントは、（ｎスライスの後に）１回だけ繰り返されるべきである。全ての非重要イベントは、同じスライスにまとめられるので、サイクルは、全てのペンディングイベントを伴う一のスライスをｎスライス毎に持つように生成され、その間のスライスがより重要なイベントだけを持つ。このサイクルの集まりは、スペシャルＥＳＧフィールドにより、又はイベントサービス自体においてのいずれかで、レシーバデバイス２００に通信されるべきである。
【００３７】
デバイスが正にオンに切り替えられ、第１のイベントスライスが重要なイベント、即ち、e2…enだけを伴うものである場合であっても、レシーバデバイス２００が全てのイベントを依然取得することを確実にさせるために、各スライスは、特別なスライスではないいくつかのペンディングイベントがあるかどうかをレシーバデバイス２００に通知する情報を含み得る。また、各スライスは、全てのイベントを伴うスライス、即ち、e1がどのくらいのスライスで送信されたかについて通信する。この態様では、レシーバデバイス２００の復調器２０３が、オンに切り替えられて、イベントサービスを迅速に発見し、時期が全てのペンディングイベントを含むスライスと同期してから、重要なイベントを受信し得る。
【００３８】
また、ＤＶＢ−Ｈレシーバデバイス２００は、ストリームコンステレーション（stream constellation）が変化しているかを決定するためのＰＳＩ／ＳＩテーブルを受信する。これらのテーブルは、ＤＶＢ−Ｈタイムスライスと平行して非常に頻繁に送信されるが、非常に低い帯域幅のイベントサービスだけが利用されるレシーバは、これらのテーブルを逃すだろう。これを回避するために、前処理は、これらのテーブルが、全てのイベントを含むイベントスライス、即ちe1が送信されるときに少なくとも送信されることを確実にする。この態様では、ｎスライス毎に１つのイベントスライスを受信するために利用されるだけのスタンバイ中のデバイスが、最近のＰＳＩ／ＳＩテーブルを取得する。
【００３９】
追加のフェールセーフメカニズムとして、レシーバデバイス２００は、受信する情報が受信することを予期するものである場合、即ち、実際に利用されるイベントサービスである場合に、及び、イベントがデバイスに感知させる場合に、サニティーチェックを行う。この場合でないときは、サービスコンステレーション（service constellation）は、デバイスがこれに気付くことなく変化され、レシーバデバイス２００は、イベントサービスを再び見つけるために、デフォルトのブートストラップ手順を繰り返す。
【００４０】
上述した方法は、高付加価値を持ち得る、新規なもの、極端に低い帯域幅及び低電力サービスの可能性を与える。（用語の最も広い意味で）現在の状態が更新されるモバイルデバイスは、ＤＶＢ−Ｈの使用を促進させることを特徴とする。例としては、スタンバイモードであっても、ＥＳＧ変化（又は、ＦＬＵＴＥカルーセルにおける他のエレメントに関する変化）を知らされ、その後、新たなＥＳＧ（又は、他のＦＬＵＴＥコンテンツ）を受信するモバイルデバイスであるので、ユーザは、デバイスに更新を待たせなければならない代わりにデバイスを即座にオンにするか、又は、スタンバイ中のデバイスであっても重要なニュースアイテム（緊急の警告）に関する警報をユーザが受信する場合に、現在のＥＳＧ（又は、他のＦＬＵＴＥコンテンツ）への直接的なアクセス手段を持つ。
【００４１】
この方法は、低電力消費を持つことにより利益を得る全てのＤＶＢ−Ｈ受信デバイスに適用され得る。これは、携帯電話機又はポータブルメディアセンタを含む。低電力消費及びそれ故により長いバッテリ寿命は、モバイルテレビジョンスタンダードとしてのＤＶＢ−Ｈの受入に有益である。
【００４２】
本発明の好ましい実施形態は、添付の図面において例示され、上述の説明において説明されているが、本発明が、開示された実施形態に限定されず、特許請求の範囲に提示されるような本発明の範囲から逸脱することなく多くの変更に適用できることが理解されるだろう。
【図１ａ】
2010502047.tif 000003
【図１ｂ】
2010502047.tif 000004
【図１ｃ】
2010502047.tif 000005
【図１ｄ】
2010502047.tif 000006
【図１ｅ】
2010502047.tif 000007
【図２】
2010502047.tif 000008
【国際調査報告】
2010502047.tif 000009
2010502047.tif 000010